(57)【特許請求の範囲】
【請求項１】
脚部に筋かいが取付けられた柱と床の接続部の気密構造において、
前記柱の脚部の外周面の形状と略同一形状の柱密着面を有する柱密着部と、該柱密着部の下端外周に一体的に形成された水平な床密着面を有する床密着部と、平行な２個の筋かい密着面を有する可撓性平板で構成される筋かい密着部とを備える気密カバーを用い、
該気密カバーの前記柱密着面を前記柱の脚部の外周面に密着させ、前記床密着面を前記柱の周囲の床面に密着させるとともに、前記筋かいを間に挟んで対向する前記筋かい密着面同士を密着させたことを特徴とする柱と床の接続部の気密構造。
【請求項２】
柱の脚部同士をつなぐ柱脚つなぎが設けられた柱と床の接続部の気密構造において、
前記柱の脚部の外周面の形状と略同一形状の柱密着面を有する柱密着部と、該柱密着部の下端外周に一体的に形成された水平な床密着面を有する床密着部と、前記柱脚つなぎの床面より上の部分の外周面の形状と略同一形状の柱脚つなぎ密着面を有する柱脚つなぎ密着部とを備える気密カバーを用い、
該気密カバーの前記柱密着面を前記柱の脚部の外周面に密着させ、前記床密着面を前記柱の周囲の床面に密着させるとともに、前記柱脚つなぎ密着面を前記柱脚つなぎの外周面に密着させたことを特徴とする柱と床の接続部の気密構造。
【発明の詳細な説明】
【０００１】
【発明の属する技術分野】
本発明は、柱と床面との接続部における気密構造に関し、特に、作業者による気密性能のばらつきを無くし、高い気密性を確保することができる柱と床の接続部の気密構造に関する。
【０００２】
【従来の技術】
近年、住宅には、計画的な換気による快適性の向上や、断熱性の向上による省エネルギー化を図るために、気密性が求められるようになってきている。一般に、気密住宅とは、気密性能を表す相当隙間面積が床面積１平方メートル当たり５平方センチメートル以下のものをいい、これを達成するため、住宅の各部の隙間を塞ぐことにより気密性を確保することが行われている。
【０００３】
柱と床面との接続部の隙間も気密性を確保するために塞ぐ必要がある部分の一つである。そのため、従来は、柱と床面との接続部の気密性を確保するために、図９に示すように、前記柱の脚部２の外周面３と床面９との間に気密テープ１４を貼り付けることにより隙間を塞ぎ、気密性を確保していた。
【０００４】
ここで、前記柱と床面との接続部の隙間を塞ぐためには、前記気密テープ１４を、直角に交わる前記柱の脚部２の外周面３と前記床面９とに密着させるために直角に折り曲げ、且つ、前記柱の脚部２の外周面に沿って囲むように貼り付ける必要がある。しかし、そのような複雑な三次元的形状に折り曲げながら前記気密テープ１４を貼り付ける作業は手間が掛かり、また、技術を要するので、作業者によって仕上がり後の気密性能のばらつきが生じるという問題があった。また、そのような複雑な三次元的形状に折り曲げながら貼り付ける場合、前記気密テープ１４に歪みや隙間が生じ易く、高い気密性を確保するための障害となっていた。
【０００５】
【発明が解決しようとする課題】
本発明は、上記課題に鑑みてなされたものであって、前記柱と床の接続部の気密性を確保するための作業を容易化することによって、作業者による気密性能のばらつきを無くし、高い気密性を確保することができる柱と床の接続部の気密構造を提供することを技術課題とするものである。
【０００７】
請求項１に記載する柱と床の接続部の気密構造は、脚部に筋かいが取付けられた柱と床の接続部の気密構造において、前記柱の脚部の外周面の形状と略同一形状の柱密着面を有する柱密着部と、該柱密着部の下端外周に一体的に形成された水平な床密着面を有する床密着部と、平行な２個の筋かい密着面を有する可撓性平板で構成される筋かい密着部とを備える気密カバーを用い、該気密カバーの前記柱密着面を前記柱の脚部の外周面に密着させ、前記床密着面を前記柱の周囲の床面に密着させるとともに、前記筋かいを間に挟んで対向する前記筋かい密着面同士を密着させたことを特徴とするものである。
【０００８】
請求項２に記載する柱と床の接続部の気密構造は、柱の脚部同士をつなぐ柱脚つなぎが設けられた柱と床の接続部の気密構造において、前記柱の脚部の外周面の形状と略同一形状の柱密着面を有する柱密着部と、該柱密着部の下端外周に一体的に形成された水平な床密着面を有する床密着部と、前記柱脚つなぎの床面より上の部分の外周面の形状と略同一形状の柱脚つなぎ密着面を有する柱脚つなぎ密着部とを備える気密カバーを用い、該気密カバーの前記柱密着面を前記柱の脚部の外周面に密着させ、前記床密着面を前記柱の周囲の床面に密着させるとともに、前記柱脚つなぎ密着面を前記柱脚つなぎの外周面に密着させたことを特徴とするものである。
【０００９】
【発明の実施の形態】
以下、本発明に係る柱と床の接続部の気密構造について図面に基づいて説明する。本発明の第１の実施形態に係る柱と床の接続部の気密構造１は、図１に示すように、柱の脚部２の外周面３の形状と略同一形状の柱密着面４を有する柱密着部５と、該柱密着部５の下端外周に一体的に形成された水平な床密着面６を有する床密着部７とを備える気密カバー８を用い、該気密カバー８の前記柱密着面４を前記柱の脚部２の外周面３に密着させるとともに、前記床密着面６を前記柱の周囲の前記床面９に密着させたものである。以下更に詳細に説明する。
【００１０】
前記気密カバー８は、可撓性及び気密性を有する薄い板状部材を三次元的に折り曲げて成形した成形部品である。その具体的な材質として、ここでは発泡ポリエチレンを使用しているが、これに限定されるものではなく、他の合成樹脂等も使用することができる。
【００１１】
そして、上方からの斜視図である図２及び下方からの斜視図である図３に示すように、前記気密カバー８は、第１気密カバー１０及び第２気密カバー１１の２個から構成されており、これらを結合させることにより最終的に必要な形状の気密カバー８を形成することができるようになっている。すなわち、前記第１気密カバー１０と前記第２気密カバー１１とをそれぞれ前記柱の脚部２の両側から被せることにより、前記柱と床の接続部の全体を隙間なく覆うことができるようになっている。このように前記気密カバー８を２分割して構成したことにより、取付作業を容易に行うことができるようになっている。なお、前記気密カバー８を２分割せずに、いずれか１箇所に切れ目を設けて一体的に構成することも可能である。
【００１２】
前記気密カバー８の前記柱密着部５は、前記柱の脚部２の形状に合致するように形成されている。すなわち、本実施形態においては、前記柱の脚部２の断面形状は四角形であるので、前記第１気密カバー１０及び第２気密カバー１１が結合した状態において、前記柱密着部５の内側面である前記柱密着面４が、前記柱の脚部２の外周面３と略同一形状の四角柱形状の面を構成するように形成されている。したがって、前記第１気密カバー１０及び第２気密カバー１１のそれぞれの前記柱密着部５の形状は、前記柱の脚部２の外周面３の半分ずつを覆うコ字形となっている。これにより、前記気密カバー８を取り付けた際に、前記柱密着面４により囲まれる内部空間に前記柱の脚部２が隙間なく収まり、前記気密カバー８と前記柱の脚部２の外周面３とを隙間なく密着させることができる。
【００１３】
なお、ここでは前記柱の脚部２の断面形状は四角形であるが、これに限定されるものではなく、円形断面の場合やＨ形鋼のようにＨ形断面の場合などもある。そして、そのような場合においても、前記柱密着部５は、前記柱の脚部２の形状に合致するように形成される。すなわち、前記柱の脚部２の断面形状が円形である場合には、前記第１気密カバー１０及び第２気密カバー１１が結合した状態において前記柱密着面４が、前記柱の脚部２の外周面３と略同一形状の円柱形状の面を構成するように形成され、前記柱の脚部２の断面形状がＨ形である場合には、同様に前記柱密着面４が、前記柱の脚部２の外周面３と略同一形状のＨ形断面の柱形状の面を構成するように形成される。
【００１４】
前記気密カバー８の前記床密着部７は、前記柱密着部５を前記柱の脚部２の外周面３に取り付けた状態で前記床面９に密着させることができるように形成されている。すなわち、前記床密着部７の下面である前記床密着面６が、前記床面９と同様の水平な平面形状の面となるようにして、前記柱密着部５の下端外周に一体的に形成されている。これにより、前記気密カバー８を取り付けた際に、前記床面９と前記床密着面６とを隙間なく密着させることができる。なお、前記床密着部７の外形については、特に制約はないが、本実施形態のように、結合した状態で四角形等の直線的な形状となるようにすると好適である。これは、前記床密着部７をテープ貼り等する場合に適した形状とするためである。
【００１５】
本実施形態に係る柱と床の接続部の気密構造１は、図１に示すように、前述のような気密カバー８を用い、該気密カバー８を前記柱と床の接続部に取り付ける際に、前記柱密着面４を前記柱の脚部２の外周面３に密着させるとともに、前記床密着面６を前記柱の周囲の前記床面９に密着させることにより、前記柱と床の接続部の隙間を完全に塞ぎ、気密性を確保する気密構造である。そして、上述の通り、前記柱密着部５は、前記柱密着面４が前記柱の脚部２の外周面３に密着することができるように、前記床密着部７は、前記床密着面６が前記床面９に密着することができるように、それぞれ形成されている。そこで、前記柱と床の接続部の気密性を確保した状態を維持するためには、前記柱密着面４を前記柱の脚部２の外周面３に、前記床密着面６を前記床面９に、それぞれ密着させた状態で固定するための構造が必要となる。
【００１６】
そのため、本実施形態においては、図２及び図３に示すように、前記柱密着面４及び前記床密着面６の端縁部近傍に、あらかじめ両面接着テープ１２を片面に離型紙１３を残した状態でそれぞれ貼り付けた前記気密カバー８を使用し、取り付ける際に前記離型紙１３を剥がして前記柱密着面４及び前記床密着面６をそれぞれ前記柱の脚部２の外周面３及び前記床面９に接着することにより、密着させた状態で固定している。なお、図示しないが、前記両面接着テープ１２は、前記前記柱密着面４及び前記床密着面６の全面に貼り付けたものとすることも可能である。またこれ以外にも、前記柱密着面４及び前記床密着面６を密着させた状態で固定するための構造としては、以下のようなものがある。すなわち、図４に示すように、前記気密カバー８を取り付けた後、前記第１気密カバー１０と第２気密カバー１１との継ぎ目、前記柱密着部５の上端部と前記柱の脚部２の外周面３との継ぎ目、及び前記床密着部７の外縁部と前記床面９との継ぎ目のそれぞれの上から気密テープ１４を貼り付けることにより、前記柱密着面４と前記柱の脚部２の外周面３との隙間、及び前記床密着面６と前記床面９との隙間を塞ぎ、密着させた状態で固定する構造である。なお、前記柱密着面４及び前記床密着面６を密着させた状態で固定するための構造は、これらに限定されるものではなく、この分野において公知の様々な構造を用いることができる。
【００１７】
次に、本発明の第２の実施形態に係る柱と床の接続部の気密構造１について説明する。これは、図５に示すように、前記柱の脚部２に筋かい１５が取り付けられるとともに、前記柱の脚部２同士をつなぐ柱脚つなぎ１６が設けられている場合において、柱の脚部２の外周面３の形状と略同一形状の柱密着面４を有する柱密着部５と、該柱密着部５の下端外周に一体的に形成された水平な床密着面６を有する床密着部７と、略平行な２個の筋かい密着面１７を有する可撓性平板で構成される筋かい密着部１８と、前記柱脚つなぎ１６の前記床面９より上の部分の外周面１９の形状と略同一形状の柱脚つなぎ密着面２０を有する柱脚つなぎ密着部２１とを備える気密カバー８を用い、該気密カバー８の前記柱密着面４を前記柱の脚部２の外周面３に密着させ、前記床密着面６を前記柱の周囲の前記床面９に密着させ、前記筋かい１５を間に挟んで対向する前記筋かい密着面１７同士を密着させるとともに、前記柱脚つなぎ密着面２０を前記柱脚つなぎ１６の外周面１９に密着させたものである。以下更に詳細に説明する。
【００１８】
前記気密カバー８は、前記第１の実施形態に係る気密カバー８と同様、可撓性及び気密性を有する薄い板状部材を三次元的に折り曲げて成形した成形部品であり、その材質についても、同様に発泡ポリエチレン等の合成樹脂等を使用することができる。そして、図５、上方からの斜視図である図６及び下方からの斜視図である図７に示すように、前記気密カバー８は、第１気密カバー２２、第２気密カバー２３及び第３気密カバー２４の３個から構成されており、これらを結合させることにより最終的に必要な形状の気密カバー８を形成することができるようになっている。
【００１９】
このうち、前記第１気密カバー２２及び前記第２気密カバー２３は、前記筋かい１５及び前記柱脚つなぎ１６が設けられている側（以下「補強部材側」という。）の前記柱の脚部２の気密性を確保するためのものであって、鏡対称形状に形成され、これらを前記柱の脚部２に被せて結合させることにより、前記柱の脚部２の補強部材側の半分を隙間なく覆うことができるようになっている。このため、前記第１気密カバー２２及び前記第２気密カバー２３は、それぞれ、前記柱密着部５と、前記床密着部７と、前記筋かい密着部１８と、前記柱脚つなぎ密着部２１とを備えている。一方、前記第３気密カバー２４は、前記筋かい１５及び前記柱脚つなぎ１６が設けられていない側（以下「通常側」という。）の前記柱の脚部２の気密性を確保するためのものであって、前記通常側の柱の脚部２に被せることにより、該柱の脚部２の半分を隙間なく覆うことができるようになっている。このため、前記第３気密カバー２４は、前記第１の実施形態に係る気密カバー８と同様、前記柱密着部５と、前記床密着部７とを備えている。このように前記気密カバー８を３分割して構成したことにより、前記柱の脚部２に筋かい１５や柱脚つなぎ１６が設けられている場合においても取付作業を容易に行うことができるようになっている。なお、前記気密カバー８を３分割せずに、いずれか１箇所に切れ目を設けて一体的に構成することも可能である。
【００２０】
前記第１気密カバー２２及び第２気密カバー２３の前記筋かい密着部１８は、前記床面９に対して垂直で、且つ前記筋かい１５に対して平行な平面形状に形成された筋かい密着面１７を有する可撓性平板で構成され、前記第１気密カバー２２については前記柱密着部５の柱密着面４の背面側における前記第２気密カバー２３との結合側端縁に、前記第２気密カバー２３については前記柱密着部５の柱密着面４の背面側における前記第１気密カバー２２との結合側端縁に配置されている。したがって、前記第１気密カバー２２及び前記第２気密カバー２３の前記筋かい密着面１７は互いに平行に対向して配置されることとなり、前記第１気密カバー２２と前記第２気密カバー２３とを前記柱の脚部２に取り付けて結合した状態において、図８に示すように、２個の前記筋かい密着面１７は前記筋かい１５を挟んで密着する。この際、前記筋かい密着部１８は可撓性平板で構成されていることから、前記筋かい密着面１７は前記筋かい１５の形状に合致するように変形し、前記筋かい１５の周囲に隙間なく密着させることができる。前記筋かい１５の周囲の隙間を確実になくすために、前記筋かい密着面１７は適度な大きさを有していることが必要とされる。前記筋かい密着面１７の大きさは、前記筋かい１５の太さ等に合わせて適宜決定するが、一般には、前記筋かい１５の下端部から１０〜５０ｃｍ程度覆うことができる大きさとすると好適である。なお、本実施形態においては、前記筋かい密着部１８のみではなく、前記第１気密カバー２２及び前記第２気密カバー２３の全体が可撓性を有する板状部材により構成されている。
【００２１】
図５、図６及び図７に示すように、前記第１気密カバー２２及び第２気密カバー２３の前記柱脚つなぎ密着部２１は、前記柱脚つなぎ１６の前記床面９より上の部分の形状に合致するように形成されている。すなわち、本実施形態においては、前記柱脚つなぎ１６は、前記柱の脚部２をつなぐ横置きの四角柱形状であるので、前記第１気密カバー２２及び第２気密カバー２３が結合した状態において、前記柱脚つなぎ密着部２１の内側面である前記柱脚つなぎ密着面２０が、前記柱脚つなぎ１６の前記床面９より上の部分の外周面と略同一形状のコ字溝形状の面となるように形成されている。これにより、前記第１気密カバー２２及び前記第２気密カバー２３を取り付けた際に、前記柱脚つなぎ密着面２０により囲まれる内部空間に前記柱脚つなぎ１６が隙間なく収まり、前記第１気密カバー２２及び前記第２気密カバー２３と前記柱脚つなぎ１６の外周面１９とを隙間なく密着させることができる。
【００２２】
前記第１気密カバー２２、第２気密カバー２３及び第３気密カバー２４の前記柱密着部５は、前記柱の脚部２の形状に合致するように形成されている。すなわち、本実施形態においては、前記柱の脚部２の断面形状は四角形であるので、前記第１気密カバー２２、第２気密カバー２３及び第３気密カバー２４が結合した状態において、前記柱密着部５の内側面である前記柱密着面４が、前記柱の脚部２の外周面３と略同一形状の四角柱形状の面となるように形成されている。これにより、前記気密カバー８を取り付けた際に、前記柱密着面４により囲まれる内部空間に前記柱の脚部２が隙間なく収まり、前記気密カバー８と前記柱の脚部２の外周面３とを隙間なく密着させることができる。なお、前記第１の実施形態の場合と同様、前記柱の脚部２の断面形状が四角形以外の円形断面の場合やＨ形断面の場合などにおいても、前記柱密着部５は、前記柱の脚部２の形状に合致するように形成される。
【００２３】
ここで、前記第１気密カバー２２及び第２気密カバー２３は、前記筋かい１５及び前記柱脚つなぎ１６の両側からそれぞれ取り付けることにより前記柱の脚部２の補強部材側の半分を覆うものであるので、前記柱密着部５は、それぞれ前記柱の脚部２の外周面３の４分の１ずつを覆うＬ字形となるように形成されている。また、前記第１気密カバー２２及び第２気密カバー２３の柱密着部５については、前記柱密着面４の背面側に前記筋かい密着部１８が設けられることから、該筋かい密着部１８の高さに合わせて前記柱密着部５の高さも高く形成されている。一方、前記第３気密カバー２４は、前記柱の脚部２の通常側の半分を覆うものであるので、前記柱密着部５は、前記柱の脚部２の外周面３の２分の１を覆うコ字形となるように形成されている。
【００２４】
前記第１気密カバー２２、第２気密カバー２３及び第３気密カバー２４の前記床密着部７は、前記柱密着部５を前記柱の脚部２の外周面３に取り付けた状態で前記床面９に密着させることができるように形成されている。すなわち、前記床密着部７の下面である前記床密着面６が、前記床面９と同様の水平な平面形状の面となるようにして、前記柱密着部５の下端外周に一体的に形成されている。これにより、前記気密カバー８を取り付けた際に、前記床面９と前記床密着面６とを隙間なく密着させることができる。ここで、前記前記第１気密カバー２２及び第２気密カバー２３の床密着部７については、前記床密着部７の上面に前記柱脚つなぎ密着部２１が設けられることから、該筋かい密着部１８の長さに合わせた長さに形成されている。なお、前記床密着部７の外形については、特に制約はないが、本実施形態のように、結合した状態で四角形等の直線的な形状となるようにすると好適である。これは、前記床密着部７をテープ貼り等する場合に適した形状とするためである。
【００２５】
本実施形態に係る柱と床の接続部の気密構造１は、図５に示すように、前記柱の脚部２に筋かい１５が取り付けられるとともに、前記柱の脚部２同士をつなぐ柱脚つなぎ１６が設けられている場合において、前述のような気密カバー８を用い、該気密カバー８を前記柱と床の接続部に取り付ける際に、前記柱密着面４を前記柱の脚部２の外周面３に密着させ、前記床密着面６を前記柱の周囲の前記床面９に密着させ、前記筋かい１５を間に挟んで対向する前記筋かい密着面１７同士を密着させるとともに、前記柱脚つなぎ密着面２０を前記柱脚つなぎ１６の外周面１９に密着させることにより、前記柱と床の接続部の隙間を完全に塞ぎ、気密性を確保する気密構造である。そして、上述の通り、前記柱密着部５は、前記柱密着面４が前記柱の脚部２の外周面３に密着することができるように、前記床密着部７は、前記床密着面６が前記床面９に密着することができるように、前記筋かい密着部１８は、対向する前記筋かい密着面１７同士が前記筋かい１５を間に挟んで密着することができるように、前記柱脚つなぎ密着部２１は、前記柱脚つなぎ密着面２０が前記柱脚つなぎ１６の外周面１９に密着することができるように、それぞれ形成されている。そこで、前記柱と床の接続部の気密性を確保した状態を維持するためには、前記柱密着面４を前記柱の脚部２の外周面３に、前記床密着面６を前記床面９に、前記筋かい密着面１７を対向する前記筋かい密着面１７に、前記柱脚つなぎ密着面２０を前記柱脚つなぎ１６の外周面１９に、それぞれ密着させた状態で固定するための構造が必要となる。
【００２６】
そのため、本実施形態においては、図６及び図７に示すように、前記柱密着面４、前記床密着面６、前記筋かい密着面１７、及び前記柱脚つなぎ密着面２０の端縁部近傍に、あらかじめ両面接着テープ１２を片面に離型紙１３を残した状態でそれぞれ貼り付けた前記気密カバー８を使用し、取り付ける際に前記離型紙１３を剥がして前記柱密着面４を前記柱の脚部２の外周面３に、前記床密着面６を前記床面９に、前記筋かい密着面１７を前記筋かい１５の周囲及び対向する前記筋かい密着面１７に、前記柱脚つなぎ密着面２０を前記柱脚つなぎ１６の外周面１９に、それぞれ接着することにより、密着させた状態で固定している。またこれ以外にも、前記柱密着面４、前記床密着面６、前記筋かい密着面１７、及び前記柱脚つなぎ密着面２０を密着させた状態で固定するための構造としては、図示しないが、前記第１の実施形態の説明において述べた通り、前記気密カバー８を取り付けた後、該気密カバー８と前記柱の脚部２の外周面３、前記床面９、前記筋かい１５、前記柱脚つなぎ１６の外周面１９との継ぎ目に気密テープ１４を貼り付けた構造とすることもできる。なお、前記柱密着面４、前記床密着面６、前記筋かい密着面１７、及び前記柱脚つなぎ密着面２０を密着させた状態で固定するための構造は、これらに限定されるものではなく、この分野において公知の様々な構造を用いることができる。
【００２８】
本発明の請求項１に係る柱と床の接続部の気密構造によれば、柱の脚部に筋かいが取り付けられている場合において、従来必要であった、複雑な三次元的形状に折り曲げながらの気密テープの貼り付け作業を完全になくし、又は該作業を直線的形状のみの貼り付け作業とすることができるので、前記柱と床の接続部の気密性を確保するための作業を容易化して作業者による気密性能のばらつきを無くし、高い気密性を確保することができる。
【００２９】
本発明の請求項２に係る柱と床の接続部の気密構造によれば、柱の脚部同士をつなぐ柱脚つなぎが設けられている場合においても、請求項１に記載した柱と床の接続部の気密構造と同様に、従来必要であった、複雑な三次元的形状に折り曲げながらの気密テープの貼り付け作業を完全になくし、又は該作業を直線的形状のみの貼り付け作業とすることができるので、前記柱と床の接続部の気密性を確保するための作業を容易化して作業者による気密性能のばらつきを無くし、高い気密性を確保することができる。
【図面の簡単な説明】
【図１】本発明の第１の実施形態に係る柱と床の接続部の気密構造を示す斜視図である。
【図２】本発明の第１の実施形態に係る気密カバーを示す上方からの斜視図である。
【図３】本発明の第１の実施形態に係る気密カバーを示す下方からの斜視図である。
【図４】本発明の第１の実施形態に係る柱と床の接続部の気密構造であって、継ぎ目を気密テープにより塞いで密着させたもの示す斜視図である。
【図５】本発明の第２の実施形態に係る柱と床の接続部の気密構造を示す斜視図である。
【図６】本発明の第２の実施形態に係る気密カバーを示す上方からの斜視図である。
【図７】本発明の第２の実施形態に係る気密カバーを示す下方からの斜視図である。
【図８】本発明の第２の実施形態に係る気密カバーを取り付けた後の状態を示す斜視図である。
【図９】従来例に係る柱と床の接続部の気密構造を示す斜視図である。
【符号の説明】
１  柱と床の接続部の気密構造
２  柱の脚部
３  柱の脚部の外周面
４  柱密着面
５  柱密着部
６  床密着面
７  床密着部
８  気密カバー
９  床面
１０  第１気密カバー
１１  第２気密カバー
１２  両面接着テープ
１３  離型紙
１４  気密テープ
１５  筋かい
１６  柱脚つなぎ
１７  筋かい密着面
１８  筋かい密着部
１９  柱脚つなぎの外周面
２０  柱脚つなぎ密着面
２１  柱脚つなぎ密着部
２２  第１気密カバー
２３  第２気密カバー
２４  第３気密カバー
【図１】
0004135845.tif 000002
【図２】
0004135845.tif 000003
【図３】
0004135845.tif 000004
【図４】
0004135845.tif 000005
【図５】
0004135845.tif 000006
【図６】
0004135845.tif 000007
【図７】
0004135845.tif 000008
【図８】
0004135845.tif 000009
【図９】
0004135845.tif 000010